(57)【要約】【課題】多検体の測定を行う試料分析装置として使用した場合に、簡単な構造で反応効率および測定感度を向上させ且つ反応時間および測定時間を短縮することができるとともに、簡単な構造で流体を排出することができ且つ吸光測定法に適用可能な流体取扱装置を提供する。【解決手段】  流体取扱装置１０は、複数の上側流体取扱部１６が配列された上側装置本体１２と、この上側装置本体１２を載置可能な下側装置本体１４とからなり、上側装置本体１２の複数の上側流体取扱部１６の各々に、多数のビーズ２４を収容する上側流体取扱室２８が形成され、この上側流体取扱室２８の底部に弁体２６が設けられ、下側装置本体１４上に上側装置本体１２を載置すると弁体２６が突起部１８ｂによって押し上げられて開く。【選択図】図６
2007212285.tif 000002
【特許請求の範囲】
【請求項１】
複数の上側流体取扱部が配列された上側装置本体と、この上側装置本体を載置可能な下側装置本体とからなり、
前記上側装置本体の前記複数の上側流体取扱部の各々が、流体を注入するための注入口と、この注入口から注入された流体を収容するための上側流体収容室と、この上側流体収容室内に配置されて前記上側流体収容室内の流体が前記上側流体収容室内で接触する表面の面積を増大させる表面積増大部材と、前記上側流体収容室内の流体を下方に排出するための排出口と、この排出口を開閉する弁体とを備え、
前記下側装置本体が、前記上側流体収容室から排出された流体を収容するための下側流体収容部を備え、前記下側装置本体上に前記上側装置本体を載置すると前記複数の上側流体取扱部の各々の弁体が開くことを特徴とする、流体取扱装置。
【請求項２】
前記下側装置本体の前記下側流体収容部の底面から上方に突出する突起部が、前記複数の上側流体取扱部の各々に対応して形成され、前記下側装置本体上に前記上側装置本体を載置すると前記突起部が前記弁体を上方に押し上げて開くことを特徴とする、請求項１に記載の流体取扱装置。
【請求項３】
前記表面積増大部材の通過を防止し且つ流体の通過を許容する開口部が形成された保持部材が、前記表面積増大部材と前記弁体との間に配置されていることを特徴とする、請求項１または２に記載の流体取扱装置。
【請求項４】
前記複数の上側流体取扱部の各々の上側流体取扱室が、前記表面積増大部材を収容した第１の上側流体取扱室と、前記弁体を取り付けた第２の上側流体取扱室に分離され、これらの第１および第２の上側流体取扱室の間に前記保持部材が配置されていることを特徴とする、請求項３に記載の流体取扱装置。
【請求項５】
前記下側装置本体の前記下側流体収容部が、前記複数の上側流体取扱部の各々の上側流体収容室に対応するように互いに分離された複数の下側流体取扱室からなることを特徴とする、請求項１または２に記載の流体取扱装置。
【請求項６】
前記下側装置本体の前記下側流体収容部が、前記複数の上側流体取扱部の各々の上側流体収容室に対応するように互いに分離された複数の下側流体取扱室からなり、前記保持部材が前記弁体の上方に配置されて前記表面積増大部材を支持していることを特徴とする、請求項３に記載の流体取扱装置。
【請求項７】
前記下側装置本体の前記下側流体収容部の底面に流体を排出するための排出口が形成されていることを特徴とする、請求項１乃至４のいずれかに記載の流体取扱装置。
【請求項８】
前記弁体が透明な部材からなることを特徴とする、請求項１乃至７のいずれかに記載の流体取扱装置。
【請求項９】
前記表面積増大部材が多数の微小粒状物であることを特徴とする、請求項１乃至８のいずれかに記載の流体取扱装置。
【請求項１０】
前記表面積増大部材が単一の部材からなることを特徴とする、請求項１乃至８のいずれかに記載の流体取扱装置。
【発明の詳細な説明】
【技術分野】
【０００１】
本発明は、流体取扱装置に関し、特に、生体物質に代表される機能性物質などの試料を分析する試料分析装置として使用可能な流体取扱装置に関する。
【背景技術】
【０００２】
従来、タンパク質などの生体物質を特異的に検出する方法として、特定の生体物質に対する抗体を用いて抗原抗体反応を起こさせ、その反応物を視覚的に認識または分光学的に測定することによってその生体物質を検出する様々な方法が知られている。
【０００３】
現在、タンパク質などの生体物質の抗原抗体反応による反応物を定量する方法として、ＥＬＩＳＡ（Ｅｎｚｙｍｅ−Ｌｉｎｋｅｄ  ＩｍｍｕｎｏＳｏｒｂｅｎｔ  Ａｓｓａｙ）（酵素結合免疫吸着検定法）などの方法が広く採用されている。これらの方法では、一般にマイクロウェル（以下「ウェル」という）と呼ばれる多数の微小凹部の配列が形成されたマイクロウェルプレートと呼ばれる試料分析装置を使用し、目的物質である特定の生体物質に対する抗体を捕体としてウェルの壁面にコートし、この捕体によって目的物質を捕捉し、目的物質と抗体との間の抗原抗体反応による反応物を蛍光や発光試薬などにより測定することによって目的物質を検出する。
【０００４】
一般に、ＥＬＩＳＡなどのマイクロウェルプレートを用いた方法では、目的物質を含む検体や抗体試薬などの液体を反応液としてウェル内に満たして反応させている。この反応は、ウェル内に満たされた液体中の成分が分子拡散によって移動し、ウェルの底面や内壁に達したときに初めて起こる。そのため、マイクロウェルプレートを静置した場合には、理論的な反応時間は、ウェル内に満たされた液体中の成分の拡散時間に依存している。液体中の分子は、周囲の分子と衝突しながら移動しているため、その拡散の速さは非常に遅く、目的物質が分子量７万程度のタンパク質である場合には、希薄な水溶液の状態（室温）で０．５〜１×１０−６ｃｍ２／秒程度である。そのため、ウェル内の液体中において、ウェルの底面や内壁から離れた位置にある目的物質は、実用的な測定時間内ではほとんど反応することができない。また、マイクロウェルプレートでは、反応効率を向上させるために、反応部であるウェル内の底面や壁面を反応液と万遍なく接触させることが有効であるので、反応に必要な量の液体に比べて、より多くの量の液体が必要になる。
【０００５】
このように、ＥＬＩＳＡなどのマイクロウェルプレートを用いた従来の方法では、抗原抗体反応が捕捉用抗体をコートしたウェルの壁面のみで進行するため、ウェルに加えた液体中に含まれる目的物質、抗体、基質などがウェル内で浮遊、還流、沈下してウェルの壁面に到達した後に反応するまで放置しなければならず、反応効率が悪いという問題がある。また、多数のウェルに細分化されているマイクロウェルプレートでは、各々のウェルに加える液体の量が制限されているので、測定感度が低下するという問題もある。
【０００６】
反応効率や測定感度を向上させる方法として、捕体として多孔質体を用いる方法が知られているが、液の流動性を制御するためにポンプなどの外部動力を必要とし、また、多孔質体は詰まり易いので液の流動性を連続的に制御するのは困難である。また、微小空間が形成されたマイクロチップを使用し、微小空間内の液を流動させる方法として、加圧または吸引により液を流動させる方法が知られているが、この方法も外部動力を必要とし、煩雑な装置を必要とする。さらに、微小空間が形成されたマイクロチップを使用し、バルブ構造により微小空間内の液を流動させる方法も知られているが、この方法もバルブを作動させるための動力またはエネルギーを必要とする。
【０００７】
また、ＥＬＩＳＡにより分析を行う場合には、複数の抗原抗体反応を起こす必要があり、各抗原抗体反応に１時間程度の時間がかかる上、各抗原抗体反応間でウェルの洗浄を行う必要があるので、ウェルへの液の注入操作とウェルからの液の排出操作を繰り返す必要がある。また、ウェルに液を注入するための分注ノズルを洗浄することが必要になる場合もある。このように、ＥＬＩＳＡにより分析を行う場合には、長時間を要し、多くの操作が必要になる。この問題を改善する方法として、ウェルの底面を多孔質膜として圧力により液をウェルの下側に排出させる方法が提案されている（例えば、特許文献１および２参照）。
【０００８】
【特許文献１】特表平９−５０４８６４号公報（第２０−２７頁）
【特許文献２】特開２００４−４５１９７号公報（段落番号０００８−００１９）
【発明の開示】
【発明が解決しようとする課題】
【０００９】
しかし、特許文献１および２に提案された方法では、液を排出するためにポンプなどの外部動力を必要とし、複雑な装置を必要とする。また、ウェルの底面を光透過性の底面にすることが困難であり、ＥＬＩＳＡなどの最も一般的な検出方法である吸光測定法に対応できない。
【００１０】
したがって、本発明は、このような従来の問題点に鑑み、多検体の測定を行う試料分析装置として使用した場合に、簡単な構造で反応効率および測定感度を向上させ且つ反応時間および測定時間を短縮することができるとともに、簡単な構造で流体を排出することができ且つ吸光測定法に適用可能な流体取扱装置を提供することを目的とする。
【課題を解決するための手段】
【００１１】
上記課題を解決するため、本発明による流体取扱装置は、複数の上側流体取扱部が配列された上側装置本体と、この上側装置本体を載置可能な下側装置本体とからなり、上側装置本体の複数の上側流体取扱部の各々が、流体を注入するための注入口と、この注入口から注入された流体を収容するための上側流体収容室と、この上側流体収容室内に配置されて上側流体収容室内の流体が上側流体収容室内で接触する表面の面積を増大させる表面積増大部材（例えば、多数の微小粒状物のような表面積増大部材や、吸水性部材のような単一の部材からなる表面積増大部材）と、上側流体収容室内の流体を下方に排出するための排出口と、この排出口を開閉する弁体とを備え、下側装置本体が、上側流体収容室から排出された流体を収容するための下側流体収容部を備え、下側装置本体上に上側装置本体を載置すると複数の上側流体取扱部の各々の弁体が開くことを特徴とする。この流体取扱装置において、下側装置本体の下側流体収容部の底面から上方に突出する突起部を、複数の上側流体取扱部の各々に対応して形成し、下側装置本体上に上側装置本体を載置すると突起部が弁体を上方に押し上げて開くようにするのが好ましい。また、表面積増大部材の通過を防止し且つ流体の通過を許容する開口部が形成された保持部材が、表面積増大部材と弁体との間に配置されているのが好ましい。
【００１２】
また、上記の流体取扱装置において、複数の上側流体取扱部の各々の上側流体取扱室を、表面積増大部材を収容した第１の上側流体取扱室と、弁体を取り付けた第２の上側流体取扱室に分離し、これらの第１および第２の上側流体取扱室の間に保持部材を配置してもよい。
【００１３】
また、上記の流体取扱装置において、下側装置本体の下側流体収容部が、複数の上側流体取扱部の各々の上側流体収容室に対応するように互いに分離された複数の下側流体取扱室からなるのが好ましい。この場合、保持部材が弁体の上方に配置されて表面積増大部材を支持するのが好ましい。
【００１４】
また、上記の流体取扱装置において、下側装置本体の下側流体収容部の底面に流体を排出するための排出口を形成するのが好ましく、弁体が透明な部材からなるのが好ましい。
【発明の効果】
【００１５】
本発明によれば、多検体の測定を行う試料分析装置として使用した場合に、簡単な構造で反応効率および測定感度を向上させ且つ反応時間および測定時間を短縮することができるとともに、簡単な構造で流体を排出することができ且つ吸光測定法に適用可能な流体取扱装置を提供することができる。そのため、ＥＬＩＳＡなどの分析時間を大幅に短縮することができ、測定感度を向上させることができる。また、流体取扱装置の下側装置本体の下側流体収容部の底面に流体を排出するための排出口を形成すれば、洗浄工程においてノズルを使用しなくても簡単に液を排出することができる。
【発明を実施するための最良の形態】
【００１６】
以下、添付図面を参照して、本発明による流体取扱装置の実施の形態について詳細に説明する。本発明による流体取扱装置の実施の形態は、例えば、タンパク質などの生体物質に代表される機能性物質などを含む試料を分析する装置として使用することができ、一般にマイクロウェルプレートと呼ばれる多検体の測定を目的とした試料分析装置として使用することができる。
【００１７】
［第１の実施の形態］
図１〜図７Ｅは、本発明による流体取扱装置の第１の実施の形態を示している。図１に示すように、本実施の形態の流体取扱装置１０は、上側装置本体部１２と下側装置本体部１４とから構成されている。上側装置本体部１２と下側装置本体部１４の各々は、例えば、ポリカーボネート（ＰＣ）やポリメタクリル酸メチル（ＰＭＭＡ）などの樹脂材料またはガラス材料により形成された厚さが数ｍｍ程度で一辺の長さが数ｃｍ〜十数ｃｍ程度の大きさの略矩形の平板状の部材からなる。上側装置本体部１２には、上端に略正方形の開口部が形成された多数（本実施の形態では１６×２４の配列の３８４個）の上側流体取扱部１６が配列している。一方、下側装置本体部１４には、上側流体取扱部１６に対応するように、上端に略正方形の開口部が形成された多数（本実施の形態では１６×２４の配列の３８４個）の下側流体取扱部１８が配列している。
【００１８】
図２Ａ〜図２Ｆは、本実施の形態の流体取扱装置１０の上側装置本体部１２の上側流体取扱部１６を拡大して示している。図２Ａは上側流体取扱部１６の平面図、図２Ｂは図２ＡのＩＩＢ−ＩＩＢ線断面図、図２Ｃは上側流体取扱部１６の底面図、図２Ｄは図２Ａからビーズ２４を取り除いた上側流体取扱部１６の平面図、図２Ｅは図２Ｄから網状部材２２を取り除いた上側流体取扱部１６の平面図、図２Ｆは図２Ｅから弁体２６を取り除いた上側流体取扱部１６の平面図である。図２Ａ〜図２Ｆに示すように、上側流体取扱部１６は、外壁部２０と、この外壁部２０内に取り付けられた網状部材２２と、外壁部２０内の網状部材２２上に充填された多数のビーズ２４と、外壁部２０内の網状部材２２の下方に取り付けられた弁体２６とから構成されている。
【００１９】
外壁部２０は、上端に略正方形の開口部が形成されて内部に縦横の長さおよび高さが数ｍｍ程度の略立方体の空間を形成する上側鉛直壁部２０ａと、この上側鉛直壁部２０ａの下端から水平方向内側に且つ上側鉛直壁部２０ａの下端に沿って延びて上側鉛直壁部２０ａの上端の開口部より小さい略正方形の開口部を形成する水平壁部２０ｂと、この水平壁部２０ｂの開口端部から鉛直方向下方に延びて内部に略立方体の空間を形成するとともに下端に上側鉛直壁部２０ａの上端の開口部より小さい略正方形の開口部を形成する下側鉛直壁部２０ｃとから構成されている。
【００２０】
網状部材２２は、流体を通過させることができ且つビーズ２４を通過させない網状の部材（メッシュ構造の部材）であり、ビーズ２４の直径より小さい多数の開口部が配列した略正方形の網状の部材である。この網状部材２２は、上側鉛直壁部２０ａに対して略垂直に、すなわち上側鉛直壁部２０ａの上端の開口部に対して略平行に上側鉛直壁部２０ａ内に配置され、その周縁部が上側鉛直壁部２０ａの内面の鉛直方向略中央部より下方に当接して固定されている。このように固定された網状部材２２の上には、多数のビーズ２４が充填されている。
【００２１】
図３Ａ〜図３Ｅは、本実施の形態の流体取扱装置１０の上側装置本体部１２の上側流体取扱部１６に使用する弁体２６を拡大して示している。図３Ａは弁体２６の斜視図、図３Ｂは弁体２６の側面図、図３Ｃは弁体２６の平面図、図３Ｄは弁体２６の底面図、図３Ｅは図３ＣのＩＩＩＥ−ＩＩＩＥ線断面図である。弁体２６は、樹脂材料などによって一体に形成され、図３Ａ〜図３Ｅに示すように、平板状の弁座水平部２６ａと、この弁座水平部２６ａの底面の中央部から鉛直方向下方に延びる円柱形の弁棒部２６ｂと、この弁棒部２６ｂのまわりを取り囲むように弁座水平部２６ａの底面から鉛直方向下方に延びる弁座鉛直部２６ｃとから構成されている。弁座水平部２６ａは、上側鉛直壁部２０ａの上端の開口部と略同一の平面形状の平板の４つの側面の各々の略中央部から略矩形の切欠き部２６ｄを切り欠いた平面形状を有する。弁座鉛直部２６ｃは、弁座水平部２６ａの４つの側面に沿って延びるように形成され、その外面が切欠き部２６ｄの底面（弁座水平部２６ａの側面に沿って延びる面）に略同一面上に配置するように形成されている。また、弁座鉛直部２６ｃの４つの側面の各々には、鉛直方向下方に延び且つ弁座鉛直部２６ｃを貫通する複数（本実施の形態では４つ）のスリット２６ｅが形成されている。なお、スリット２６ｅの代わりに、弁座鉛直部２６ｃを貫通することなく鉛直方向下方に延びる複数の溝部を形成してもよい。
【００２２】
このような構成の上側流体取扱部１６を組み立てる際には、図４に示すように、まず、外壁部２０内に弁体２６を挿入した後、外壁部２０内に網状部材２２を挿入して外壁部２０の内面に接着剤などにより固定し、その後、網状部材２２上に多数のビーズ２４を充填する。網状部材２２の高さは、弁体２６が上方に移動して十分に開くことが可能な高さに設定する。このようにして上側流体取扱部１６を組み立てると、外壁部２０の上端の開口部を液体試料などの流体を注入するための注入口として使用することができ、弁体２６が下端に配置している状態（弁が閉じた状態）で外壁部２０内の弁体２６の上に上側流体取扱室２８（図７Ａを参照）としての空間が形成される。また、この上側流体取扱室２８の下方には、弁体２６が上方に移動した状態（弁が開いた状態）で下側流体取扱部１８に流体を導入するための連通路が形成される。
【００２３】
図５Ａおよび図５Ｂは、本実施の形態の流体取扱装置１０の下側装置本体部１４の下側流体取扱部１８を拡大して示している。図５Ａは下側流体取扱部１８の平面図であり、図５Ｂは図５ＡのＶＢ−ＶＢ線断面図である。図５Ａおよび図５Ｂに示すように、下側流体取扱部１８は、上端に略正方形の開口部が形成されて内部に縦横の長さおよび高さが数ｍｍ程度の略立方体の凹部を形成する外壁部１８ａと、この外壁部１８ａの底面の中央部から上方に突出する略四角錐台形状（略四角錐形状の先端から略水平方向に切断した形状）の突起部１８ｂとから構成されている。
【００２４】
図６に示すように、下側流体取扱部１８上に上側流体取扱部１６を載置すると、下側流体取扱部１８の突起部１８ｂによって上側流体取扱部１６の弁体２６の弁棒部２６ｂの底面が上方に押し上げられて、弁体２６が上方に移動し、弁体２６の弁座水平部２６ａの底面が上側流体取扱部１６の外壁部２０の水平壁部２０ｂの上面から離間して弁が開き、上側流体取扱室２８に注入された流体が弁体２６のスリット２６ｅ（図３Ａおよび図３Ｂを参照）を介して下側流体取扱部１８の内部（下側流体取扱室３０）に導入される。
【００２５】
次に、図７Ａ〜図７Ｅを参照して、本実施の形態の流体取扱装置１０の使用例について説明する。まず、図７Ａに示すように、本実施の形態の流体取扱装置１０の上側装置本体部１２の各々の上側流体取扱部１６内の網状部材２２の上に、抗体をコートした多数のビーズ２４を充填する。次に、図７Ｂに示すように、各々の上側流体取扱部１６の弁体２６が閉じた状態で反応部としての上側流体取扱室２８に試薬を注入して反応させる。次に、上側装置本体部１２を下側装置本体部１４上に重ね合わせると、図７Ｃに示すように、上側装置本体部１２の各々の上側流体取扱部１６の外壁部２０の下側鉛直壁部２０ｃが下側装置本体部１４の対応する下側流体取扱部１８内に挿入されるとともに、水平壁部２０ｂが下側流体取扱部１８に支持される。このとき、下側流体取扱部１８の突起部１８ｂによって上側流体取扱部１６の弁体２６の弁棒部２６ｂの底面が上方に押し上げられて、弁体２６が上方に移動し、弁体２６の弁座水平部２６ａの底面が上側流体取扱部１６の外壁部２０の水平壁部２０ｂの上面から離間して弁が開き、上側流体取扱室２８内から反応後の液体が弁体２６のスリット２６ｅを介して下側流体取扱部１８の内部（下側流体取扱室３０）に排出される。次に、図７Ｄに示すように、上側装置本体部１２を取り外した後、下側装置本体部１４の各々の下側流体取扱部１８の下側流体取扱室３０内にピペット３２により反応停止液を添加して反応を停止させ、図７Ｅに示すような状態で蛍光測定を行うことができる。
【００２６】
［第２の実施の形態］
図８〜図１５Ｅは、本発明による流体取扱装置の第２の実施の形態を示している。図８に示すように、本実施の形態の流体取扱装置１１０は、第１の実施の形態と同様に、上側装置本体部１１２と下側装置本体部１１４とから構成されている。この流体取扱装置１１０は、上側装置本体部１１２の各々の上側流体取扱部１１６の弁体１２６の形状が第１の実施の形態の流体取扱装置１０の弁体２６と異なり、この弁体１２６を開くための下側装置本体部１１４の各々の下側流体取扱部１１８の突起部１１８ｂの形状が第１の実施の形態の流体取扱装置１０の突起部１８ｂと異なり、各々の上側流体取扱部１１６の外壁部１２０の下側鉛直壁部１２０ｃに切欠き部１２０ｄを形成した点を除いて、第１の実施の形態の流体取扱装置１０と略同一である。
【００２７】
第１の実施の形態と同様に、上側装置本体部１１２と下側装置本体部１１４の各々は、例えば、ポリカーボネート（ＰＣ）やポリメタクリル酸メチル（ＰＭＭＡ）などの樹脂材料またはガラス材料により形成された厚さが数ｍｍ程度で一辺の長さが数ｃｍ〜十数ｃｍ程度の大きさの略矩形の平板状の部材からなる。図８に示すように、上側装置本体部１１２には、上端に略正方形の開口部が形成された多数（本実施の形態では１６×２４の配列の３８４個）の上側流体取扱部１１６が配列している。一方、下側装置本体部１１４には、上側流体取扱部１１６に対応するように、上端に略正方形の開口部が形成された多数（本実施の形態では１６×２４の配列の３８４個）の下側流体取扱部１１８が配列している。
【００２８】
図９Ａ〜図９Ｄは、本実施の形態の流体取扱装置１１０の上側装置本体部１１２の上側流体取扱部１１６を拡大して示している。図９Ａは上側流体取扱部１１６の平面図、図９Ｂは図９ＡのＩＸＢ−ＩＸＢ線断面図、図９Ｃは上側流体取扱部１１６の底面図、図９Ｄは上側流体取扱部１１６の側面図である。図９Ａ〜図９Ｄに示すように、上側流体取扱部１１６は、外壁部１２０と、この外壁部１２０内に取り付けられた網状部材１２２と、外壁部１２０内の網状部材１２２上に充填された多数のビーズ１２４と、外壁部１２０内の網状部材１２２の下方に取り付けられた弁体１２６とから構成されている。
【００２９】
外壁部１２０は、上端に略正方形の開口部が形成されて内部に縦横の長さおよび高さが数ｍｍ程度の略立方体の空間を形成する上側鉛直壁部１２０ａと、この上側鉛直壁部１２０ａの下端から水平方向内側に且つ上側鉛直壁部１２０ａの下端に沿って延びて上側鉛直壁部１２０ａの上端の開口部より小さい略正方形の開口部を形成する水平壁部１２０ｂと、この水平壁部１２０ｂの開口端部から鉛直方向下方に延びて内部に略立方体の空間を形成するとともに下端に上側鉛直壁部１２０ａの上端の開口部より小さい略正方形の開口部を形成する下側鉛直壁部１２０ｃとから構成されている。なお、図９Ｂおよび図９Ｄに示すように、本実施の形態では、第１の実施の形態と異なり、下側鉛直壁部１２０ｃの対向する一対の面の各々の面の略中央部には、鉛直方向下方に延び且つ下側鉛直壁部１２０ｃを貫通する切欠き部１２０ｄが形成されている。
【００３０】
網状部材１２２は、第１の実施の形態と同様に、流体を通過させることができ且つビーズ１２４を通過させない網状の部材（メッシュ構造の部材）であり、ビーズ１２４の直径より小さい多数の開口部が配列した略正方形の網状の部材である。この網状部材１２２は、上側鉛直壁部１２０ａに対して略垂直に、すなわち上側鉛直壁部１２０ａの上端の開口部に対して略平行に上側鉛直壁部１２０ａ内に配置され、その周縁部が上側鉛直壁部１２０ａの内面の鉛直方向略中央部より下方に当接して固定されている。このように固定された網状部材１２２の上には、多数のビーズ１２４が充填されている。
【００３１】
図１０Ａ〜図１０Ｅは、本実施の形態の流体取扱装置１１０の上側装置本体部１１２の上側流体取扱部１１６に使用する弁体１２６を拡大して示している。図１０Ａは弁体１２６の斜視図、図１０Ｂは弁体１２６の側面図、図１０Ｃは弁体１２６の平面図、図１０Ｄは弁体１２６の底面図、図１０Ｅは図１０ＣのＸＥ−ＸＥ線断面図である。弁体１２６は、樹脂材料などによって一体に形成され、図１０Ａ〜図１０Ｅに示すように、平板状の弁座水平部１２６ａと、この弁座水平部１２６ａの底面から鉛直方向下方に延びる弁座鉛直部１２６ｃとから構成されている。弁座水平部１２６ａは、上側鉛直壁部１２０ａの上端の開口部と略同一の平面形状の平板の４つの側面の各々の略中央部から略矩形の切欠き部１２６ｄを切り欠いた平面形状を有する。弁座鉛直部１２６ｃは、弁座水平部１２６ａの４つの側面に沿って延びるように形成され、その外面が切欠き部１２６ｄの底面（弁座水平部１２６ａの側面に沿って延びる面）に略同一面上に配置するように形成されている。また、弁座鉛直部１２６ｃの４つの側面の各々には、鉛直方向下方に延び且つ弁座鉛直部１２６ｃを貫通する複数（本実施の形態では２つ）のスリット１２６ｅが形成されている。なお、スリット１２６ｅの代わりに、弁座鉛直部１２６ｃを貫通することなく鉛直方向下方に延びる複数の溝部を形成してもよい。
【００３２】
このような構成の上側流体取扱部１１６を組み立てる際には、図１１に示すように、まず、外壁部１２０内に弁体１２６を挿入した後、外壁部１２０内に網状部材１２２を挿入して外壁部１２０の内面に接着剤などにより固定し、その後、網状部材１２２上に多数のビーズ１２４を充填する。網状部材１２２の高さは、弁体１２６が上方に移動して十分に開くことが可能な高さに設定する。このようにして上側流体取扱部１１６を組み立てると、外壁部１２０の上端の開口部を液体試料などの流体を注入するための注入口として使用することができ、弁体１２６が下端に配置している状態（弁が閉じた状態）で外壁部１２０内の弁体１２６の上に上側流体取扱室１２８（図１５Ａを参照）としての空間が形成される。また、この上側流体取扱室１２８の下方には、弁体１２６が上方に移動した状態（弁が開いた状態）で下側流体取扱部１１８に流体を導入するための連通路が形成される。
【００３３】
図１２Ａおよび図１２Ｂは、本実施の形態の流体取扱装置１１０の下側装置本体部１１４の下側流体取扱部１１８を拡大して示している。図１２Ａは下側流体取扱部１１８の平面図であり、図１２Ｂは図１２ＡのＸＩＩＢ−ＸＩＩＢ線断面図である。図１２Ａおよび図１２Ｂに示すように、下側流体取扱部１１８は、上端に略正方形の開口部が形成されて内部に縦横の長さおよび高さが数ｍｍ程度の略立方体の凹部を形成する外壁部１１８ａと、この外壁部１１８ａの対向する一対の側壁の各々の内面の略中央部に沿って外壁部１１８ａの底面から上方に延びる略矩形の平板状の一対の突起部１１８ｂとから構成されている。
【００３４】
図１３および図１４に示すように、下側流体取扱部１１８上に上側流体取扱部１１６を載置すると、上側流体取扱部１１６の外壁部１２０の切欠き部１２０ｄから下側鉛直壁部１２０ｃ内に侵入した下側流体取扱部１１８の突起部１１８ｂによって上側流体取扱部１１６の弁体１２６の弁座鉛直部１２６ｃの底面が上方に押し上げられて、弁体１２６が上方に移動し、弁体１２６の弁座水平部１２６ａの底面が上側流体取扱部１１６の外壁部１２０の水平壁部１２０ｂの上面から離間して弁が開き、上側流体取扱室１２８に注入された流体が弁体１２６のスリット１２６ｅ（図１０Ａおよび図１０Ｂを参照）を介して下側流体取扱部１１８の内部（下側流体取扱室１３０）に導入される。
【００３５】
次に、図１５Ａ〜図１５Ｅを参照して、本実施の形態の流体取扱装置１１０の使用例について説明する。まず、図１５Ａに示すように、本実施の形態の流体取扱装置１１０の上側装置本体部１１２の各々の上側流体取扱部１１６内の網状部材１２２の上に、抗体をコートした多数のビーズ１２４を充填する。次に、図１５Ｂに示すように、各々の上側流体取扱部１１６の弁体１２６が閉じた状態で反応部としての上側流体取扱室１２８に試薬を注入して反応させる。次に、上側装置本体部１１２を下側装置本体部１１４上に重ね合わせると、図１５Ｃに示すように、上側装置本体部１１２の各々の上側流体取扱部１１６の外壁部１２０の下側鉛直壁部１２０ｃが下側装置本体部１１４の対応する下側流体取扱部１１８内に挿入されるとともに、水平壁部１２０ｂが下側流体取扱部１１８に支持される。このとき、上側流体取扱部１１６の外壁部１２０の切欠き部１２０ｄから下側鉛直壁部１２０ｃ内に侵入した下側流体取扱部１１８の突起部１１８ｂによって上側流体取扱部１１６の弁体１２６の弁座鉛直部１２６ｃの底面が上方に押し上げられて、弁体１２６が上方に移動し、弁体１２６の弁座水平部１２６ａの底面が上側流体取扱部１１６の外壁部１２０の水平壁部１２０ｂの上面から離間して弁が開き、上側流体取扱室１２８内から反応後の液体が弁体１２６のスリット１２６ｅを介して下側流体取扱部１１８の内部（下側流体取扱室１３０）に排出される。次に、図１５Ｄに示すように、上側装置本体部１１２を取り外した後、下側装置本体部１１４の各々の下側流体取扱部１１８の下側流体取扱室１３０内にピペット１３２により反応停止液を添加して反応を停止させ、図１５Ｅに示すような状態で蛍光測定を行うことができる。
【００３６】
［第３の実施の形態］
図１６〜図２２Ｆは、本発明による流体取扱装置の第３の実施の形態を示している。図１６に示すように、本実施の形態の流体取扱装置２１０は、第１および第２の実施の形態と同様に、上側装置本体部２１２と下側装置本体部２１４とから構成されている。この流体取扱装置２１０は、上側流体取扱部２１６を第１の上側流体取扱部２１７ａと第２の上側流体取扱部２１７ｂに分離し、これらの第１および第２の上側流体取扱部２１７ａと２１７ｂをスリット２２３を介して連通させ、第２の実施の形態のように各々の下側流体取扱部１１８に分離する外壁部１１８ａを形成せずに、下側装置本体部２１４の凹部２１４ａの底面に排出口２１４ｂを形成して排液専用トレイとして使用可能にした以外は、第２の実施の形態の流体取扱装置１１０と略同一である。
【００３７】
第１および第２の実施の形態と同様に、上側装置本体部２１２と下側装置本体部２１４の各々は、例えば、ポリカーボネート（ＰＣ）やポリメタクリル酸メチル（ＰＭＭＡ）などの樹脂材料またはガラス材料により形成された厚さが数ｍｍ程度で一辺の長さが数ｃｍ〜十数ｃｍ程度の大きさの略矩形の平板状の部材からなる。図１６に示すように、上側装置本体部２１２には、上端に略正方形の多数（本実施の形態では１６×２４の配列の３８４個）の開口部が形成され、隣接する２つの開口部にそれぞれ第１の上側流体取扱部２１７ａと第２の上側流体取扱部２１７ｂが形成されて、多数（本実施の形態では１６×１２の配列の１９２個）の上側流体取扱部２１６が配列している。一方、下側装置本体部２１４の上面には、略矩形の凹部２１４ａが形成され、その凹部２１４ａの底面に排出口２１４ｂが形成されている。また、凹部２１４ａの底面から鉛直方向上方に多数の対の突起部２１８ｂが突出している。各々の対の突起部２１８ｂは、後述する弁体２２６の各々を押し上げて開くために使用される。
【００３８】
図１７Ａ〜図１７Ｄは、本実施の形態の流体取扱装置２１０の上側装置本体部２１２の上側流体取扱部２１６を拡大して示している。図１７Ａは上側流体取扱部２１６の平面図、図１７Ｂは図１７ＡのＸＶＩＩＢ−ＸＶＩＩＢ線断面図、図１７Ｃは上側流体取扱部２１６の底面図、図１７Ｄは上側流体取扱部２１６の側面図である。図１７Ａ〜図１７Ｄに示すように、上側流体取扱部２１６は、第１の上側流体取扱部２１７ａと第２の上側流体取扱部２１７ｂとからなる。第１の上側流体取扱部２１７ａと第２の上側流体取扱部２１７ｂの各々には、上端に略正方形の開口部が形成されて内部に縦横の長さおよび高さが数ｍｍ程度の略立方体の空間が形成されている。第１の上側流体取扱部２１７ａと第２の上側流体取扱部２１７ｂは、外壁部２２０によって取り囲まれ、仕切り板２２１によって互いに分離されている。第１の上側流体取扱部２１７ａには、多数のビーズ２２４が充填され、第２の上側流体取扱部２１７ｂの底部には、弁体２２６が取り付けられている。第１の上側流体取扱部２１７ａと第２の上側流体取扱部２１７ｂは、仕切り板２２１を貫通して鉛直方向に延びるように形成され且つビーズ２２４の直径よりも狭い幅の１つまたは複数のスリット２２３を介して互いに連通している。
【００３９】
外壁部２２０は、仕切り板２２１によって第１の上側流体取扱部２１７ａと第２の上側流体取扱部２１７ｂの各々の略立方体の空間を形成する上側鉛直壁部２２０ａと、第１の上側流体取扱部２１７ａの底部を形成するとともに上側鉛直壁部２２０ａの第２の上側流体取扱部２１７ｂ側の下端から水平方向内側に且つ上側鉛直壁部２２０ａの下端に沿って延びて第２の上側流体取扱部２１７ｂの上端の開口部より小さい略正方形の開口部を形成する水平壁部２２０ｂと、この水平壁部２２０ｂの開口端部から鉛直方向下方に延びて内部に略立方体の空間を形成するとともに下端に第２の上側流体取扱部２１７ｂの上端の開口部より小さい略正方形の開口部を形成する下側鉛直壁部２２０ｃとから構成されている。また、図１７Ｂおよび図１７Ｄに示すように、本実施の形態では、第２の実施の形態と同様に、下側鉛直壁部２２０ｃの対向する一対の面の各々の面の略中央部には、鉛直方向下方に延び且つ下側鉛直壁部２２０ｃを貫通する切欠き部２２０ｄが形成されている。
【００４０】
本実施の形態の流体取扱装置２１０の上側装置本体部２１２の上側流体取扱部２１６に使用する弁体２２６は、図１０Ａ〜図１０Ｅに示す第２の実施の形態の弁体１２６と同じである。すなわち、弁体２２６は、透明な樹脂材料などによって一体に形成され、図１０Ａ〜図１０Ｅに示すように、平板状の弁座水平部２２６ａと、この弁座水平部２２６ａの底面から鉛直方向下方に延びる弁座鉛直部２２６ｃとから構成されている。弁座水平部２２６ａは、上側鉛直壁部２２０ａの上端の開口部と略同一の平面形状の平板の４つの側面の各々の略中央部から略矩形の切欠き部２２６ｄを切り欠いた平面形状を有する。弁座鉛直部２２６ｃは、弁座水平部２２６ａの４つの側面に沿って延びるように形成され、その外面が切欠き部２２６ｄの底面（弁座水平部２２６ａの側面に沿って延びる面）に略同一面上に配置するように形成されている。また、弁座鉛直部２２６ｃの４つの側面の各々には、鉛直方向下方に延び且つ弁座鉛直部２２６ｃを貫通する複数（本実施の形態では２つ）のスリット２２６ｅが形成されている。
【００４１】
このような構成の上側流体取扱部２１６を組み立てる際には、図１８に示すように、第１の上側流体取扱部２１７ａと第２の上側流体取扱部２１７ｂの間に仕切り板２２１を挿入して固定し、第２の上側流体取扱部２１７ｂ内に弁体２２６を挿入するとともに、第１の上側流体取扱部２１７ａに多数のビーズ２２４を充填すればよい。このようにして上側流体取扱部２１６を組み立てると、第１の上側流体取扱部２１７ａの上端の開口部を液体試料などの流体を注入するための注入口として使用することができ、第１の上側流体取扱部２１７ａ内に上側流体取扱室２２８の一方の上側流体取扱室である第１の上側流体取扱室２２８ａ（図２１を参照）が形成されるとともに、弁体２２６が下端に配置している状態（弁が閉じた状態）で弁体２２６の上に上側流体取扱室２２８の他方の上側流体取扱室である第２の上側流体取扱室２２８ｂ（図２２Ａを参照）としての空間が形成される。また、この第２の上側流体取扱室２２８ｂの下方には、弁体２２６が上方に移動した状態（弁が開いた状態）で下側装置本体部２１４の凹部２１４ａに流体を導入するための連通路が形成される。
【００４２】
図１９Ａおよび図１９Ｂは、本実施の形態の流体取扱装置２１０の下側装置本体部２１４の一部を拡大して示している。図１９Ａは下側装置本体部２１４の一部を示す平面図であり、図１９Ｂは図１９ＡのＸＩＸＢ−ＸＩＸＢ線断面図である。図１９Ａおよび図１９Ｂに示すように、本実施の形態では、第２の実施の形態のように各々の下側流体取扱部１１８に分離する外壁部１１８ａを形成せずに、各々の上側流体取扱部２１６の切欠き部２２０ｄに対応するようにそれぞれ一対の突起部２１８ｂが所定の間隔で離間して下側装置本体部２１４の凹部２１４ａの底面から鉛直方向上方に延びている。
【００４３】
図２０および図２１に示すように、下側装置本体部２１４上に上側装置本体部２１２を載置すると、上側流体取扱部２１６の外壁部２２０の切欠き部２２０ｄから下側鉛直壁部２２０ｃ内に侵入した下側装置本体部２１４の突起部２１８ｂによって上側流体取扱部２１６の弁体２２６の弁座鉛直部２２６ｃの底面が上方に押し上げられて、弁体２２６が上方に移動し、弁体２２６の弁座水平部２２６ａの底面が上側流体取扱部２１６の外壁部２２０の水平壁部２２０ｂの上面から離間して弁が開き、上側流体取扱室２２８に注入された流体が弁体２２６のスリット２２６ｅ（図１０Ａおよび図１０Ｂを参照）を介して下側装置本体部２１４の凹部２１４ａ内に導入されて排出口２１４ｂから排出される。
【００４４】
次に、図２２Ａ〜図２２Ｆを参照して、本実施の形態の流体取扱装置２１０の第１の使用例について説明する。
【００４５】
まず、図２２Ａに示すように、本実施の形態の流体取扱装置２１０の上側装置本体部２１２の各々の上側流体取扱部２１６の第１の上側流体取扱室２２８ａ内に、抗体をコートした多数のビーズ２２４を充填する。次に、図２２Ｂに示すように、各々の上側流体取扱部２１６の弁体２２６が閉じた状態で反応部としての第１の上側流体取扱室２２８ａに試薬を注入して反応させる。このとき、図２２Ｃに示すように、注入された試薬は、スリット２２３を介して第２の上側流体取扱室２２８ｂ内にも導入される。次に、図２２Ｄに示すように、上側装置本体部２１２の各々の上側流体取扱部２１６の第１の上側流体取扱室２２８ａ内にピペット２３２により反応停止液を添加して反応を停止させ、図２２Ｅに示すような状態で蛍光測定を行うことができる。その後、上側装置本体部２１２を下側装置本体部２１４上に重ね合わせると、図２２Ｆに示すように、上側流体取扱部２１６の外壁部２２０の切欠き部２２０ｄから下側鉛直壁部２２０ｃ内に侵入した下側装置本体部２１４の突起部２１８ｂによって上側流体取扱部２１６の弁体２２６の弁座鉛直部２２６ｃの底面が上方に押し上げられて、弁体２２６が上方に移動し、弁体２２６の弁座水平部２２６ａの底面が上側流体取扱部２１６の外壁部２２０の水平壁部２２０ｂの上面から離間して弁が開き、上側流体取扱室２２８内から反応後の液体が弁体２２６のスリット２２６ｅを介して下側装置本体部２１４の凹部２１４ａ内に導入されて排出口２１４ｂから排出される。
【００４６】
また、図２２Ａ〜図２２Ｆを参照して、本実施の形態の流体取扱装置２１０の第２の使用例について説明する。
【００４７】
まず、図２２Ａに示すように、本実施の形態の流体取扱装置２１０の上側装置本体部２１２の各々の上側流体取扱部２１６の第１の上側流体取扱室２２８ａ内に、抗体をコートした多数のビーズ２２４を充填する。次に、図２２Ｂに示すように、各々の上側流体取扱部２１６の弁体２２６が閉じた状態で反応部としての第１の上側流体取扱室２２８ａに抗原を注入して、ビーズ２２４にコートした抗体と反応させる。このとき、図２２Ｃに示すように、注入された抗原は、スリット２２３を介して第２の上側流体取扱室２２８ｂ内にも導入される。次に、上側装置本体部２１２を下側装置本体部２１４上に重ね合わせて、図２２Ｆに示すように、上側流体取扱部２１６の外壁部２２０の切欠き部２２０ｄから下側鉛直壁部２２０ｃ内に侵入した下側装置本体部２１４の突起部２１８ｂによって上側流体取扱部２１６の弁体２２６の弁座鉛直部２２６ｃの底面を上方に押し上げて、弁体２２６を上方に移動させ、弁体２２６の弁座水平部２２６ａの底面を上側流体取扱部２１６の外壁部２２０の水平壁部２２０ｂの上面から離間させて弁を開き、上側流体取扱室２２８内から反応後の液体を弁体２２６のスリット２２６ｅを介して下側装置本体部２１４の凹部２１４ａ内に導入して排出口２１４ｂから排出する。反応後の液体を排出した後、各々の上側流体取扱部２１６の弁体２２６が開いた状態で第１の上側流体取扱室２２８ａに洗浄液を注入して洗浄する。
【００４８】
次に、図２２Ｂに示すように、上側装置本体部２１２を下側装置本体部２１４から取り外して、各々の上側流体取扱部２１６の弁体２２６が閉じた状態で第１の上側流体取扱室２２８ａにビオチン標識抗体を注入して反応させる。このとき、図２２Ｃに示すように、注入されたビオチン標識抗体は、スリット２２３を介して第２の上側流体取扱室２２８ｂ内にも導入される。次に、図２２Ｆに示すように、上側装置本体部２１２を下側装置本体部２１４上に重ね合わせて弁を開き、上側流体取扱室２２８内から反応後の液体を弁体２２６のスリット２２６ｅを介して下側装置本体部２１４の凹部２１４ａ内に導入して排出口２１４ｂから排出する。反応後の液体を排出した後、各々の上側流体取扱部２１６の弁体２２６が開いた状態で第１の上側流体取扱室２２８ａに洗浄液を注入して洗浄する。
【００４９】
次に、図２２Ｂに示すように、上側装置本体部２１２を下側装置本体部２１４から取り外して、各々の上側流体取扱部２１６の弁体２２６が閉じた状態で第１の上側流体取扱室２２８ａにストレプトアビジン−酵素を注入して反応させる。このとき、図２２Ｃに示すように、注入されたストレプトアビジン−酵素は、スリット２２３を介して第２の上側流体取扱室２２８ｂ内にも導入される。次に、図２２Ｆに示すように、上側装置本体部２１２を下側装置本体部２１４上に重ね合わせて弁を開き、上側流体取扱室２２８内から反応後の液体を弁体２２６のスリット２２６ｅを介して下側装置本体部２１４の凹部２１４ａ内に導入して排出口２１４ｂから排出する。反応後の液体を排出した後、各々の上側流体取扱部２１６の弁体２２６が開いた状態で第１の上側流体取扱室２２８ａに洗浄液を注入して洗浄する。
【００５０】
次に、図２２Ｂに示すように、上側装置本体部２１２を下側装置本体部２１４から取り外して、各々の上側流体取扱部２１６の弁体２２６が閉じた状態で第１の上側流体取扱室２２８ａに基質を注入して反応させる。このようにして蛍光を発した反応液は、図２２Ｃに示すように、スリット２２３を介して第２の上側流体取扱室２２８ｂ内にも導入される。次に、図２２Ｄに示すように、上側装置本体部２１２の各々の上側流体取扱部２１６の第１の上側流体取扱室２２８ａ内にピペット２３２により反応停止液を添加して反応を停止させ、図２２Ｅに示すような状態で蛍光測定を行うことができる。
【００５１】
［第４の実施の形態］
図２３Ａ〜図２９は、本発明による流体取扱装置の第４の実施の形態を示している。図２３Ａおよび図２３Ｂに示すように、本実施の形態の流体取扱装置３１０は、第３の実施の形態と同様に、上側装置本体部３１２と下側装置本体部３１４とから構成されている。この流体取扱装置３１０では、下側装置本体部３１６を排液専用トレイとして使用可能にした点で第３の実施の形態と同様であるが、上側装置本体部３１２の各々の上側流体取扱部３１６が、第３の実施の形態の流体取扱装置２１０の上側装置本体部２１２の各々の上側流体取扱部２１６と異なっている。
【００５２】
第３の実施の形態と同様に、上側装置本体部３１２と下側装置本体部３１４の各々は、例えば、ポリカーボネート（ＰＣ）やポリメタクリル酸メチル（ＰＭＭＡ）などの樹脂材料またはガラス材料により形成された厚さが数ｍｍ程度で一辺の長さが数ｃｍ〜十数ｃｍ程度の大きさの略矩形の平板状の部材からなる。図２３Ａに示すように、上側装置本体部３１２には、上端に略瓢箪形の多数（本実施の形態では８×１２の配列の９６個）の開口部が形成され、各々の開口部に上側流体取扱部３１６が挿入されて、多数の上側流体取扱部３１６が配列している。一方、下側装置本体部３１４の上面には、略矩形の凹部３１４ａが形成され、その凹部３１４ａの底面に排出口３１４ｂが形成されている。また、凹部３１４ａの底面から鉛直方向上方に多数の対の突起部３１８ｂが突出している。各々の対の突起部３１８ｂは、後述する弁体３２６の各々を押し上げて開くために使用される。
【００５３】
図２４Ａ〜図２４Ｃは、本実施の形態の流体取扱装置３１０の上側装置本体部３１２の上側流体取扱部３１６を拡大して示している。図２４Ａは上側流体取扱部３１６の平面図、図２４Ｂは図２４ＡのＸＸＩＶＢ−ＸＸＩＶＢ線断面図、図２４Ｃは上側流体取扱部３１６の側面図である。図２４Ａ〜図２４Ｃに示すように、上側流体取扱部３１６は、略瓢箪形の平面形状を有し、略円筒形の第１の上側流体取扱部３１７ａと略円筒形の第２の上側流体取扱部３１７ｂとからなる。第１の上側流体取扱部３１７ａと第２の上側流体取扱部３１７ｂの各々には、上端に略円形の開口部が形成されて内部に直径および高さが数ｍｍ程度の略円柱形の空間が形成されている。第１の上側流体取扱部３１７ａと第２の上側流体取扱部３１７ｂは、外壁部３２０によって取り囲まれ、仕切り板３２１を挿入することによって互いに分離されている。第１の上側流体取扱部３１７ａには、多数のビーズ３２４が充填され、第２の上側流体取扱部３１７ｂの底部には、弁体３２６が取り付けられている。第１の上側流体取扱部３１７ａと第２の上側流体取扱部３１７ｂは、仕切り板３２１を貫通して鉛直方向に延びるように形成され且つビーズ３２４の直径よりも狭い幅の１つまたは複数のスリット３２３を介して互いに連通している。
【００５４】
外壁部３２０は、仕切り板３２１によって第１の上側流体取扱部３１７ａと第２の上側流体取扱部３１７ｂの各々の略円柱形の空間を形成する上側鉛直壁部３２０ａと、第１の上側流体取扱部３１７ａの底部を形成するとともに上側鉛直壁部３２０ａの第２の上側流体取扱部３１７ｂ側の下端から水平方向内側に且つ上側鉛直壁部３２０ａの下端に沿って延びて第２の上側流体取扱部３１７ｂの上端の開口部より小さい略円形の開口部を形成する水平壁部３２０ｂと、この水平壁部３２０ｂの開口端部から鉛直方向下方に延びて内部に略円柱形の空間を形成するとともに下端に第２の上側流体取扱部３１７ｂの上端の開口部より小さい略円形の開口部を形成する下側鉛直壁部３２０ｃとから構成されている。また、図２４Ｂおよび図２４Ｃに示すように、本実施の形態では、第３の実施の形態と同様に、下側鉛直壁部３２０ｃの直径方向に対向する部分には、鉛直方向下方に延び且つ下側鉛直壁部３２０ｃを貫通する一対の切欠き部３２０ｄが形成されている。
【００５５】
図２５Ａ〜図２５Ｃは、本実施の形態の流体取扱装置３１０の上側装置本体部３１２の上側流体取扱部３１６に使用する弁体３２６を拡大して示している。図２５Ａは弁体３２６の斜視図、図２５Ｂは弁体３２６の平面図、図２５Ｃは図２５ＢのＸＸＶＣ−ＸＸＶＣ線断面図である。本実施の形態の弁体３２６は、弁座水平部３２６ａの平面形状を略円形にした点で、図１０Ａ〜図１０Ｅに示すように弁座水平部１２６ａ（２２６ａ）の平面形状が略正方形である第２および第３の実施の形態の弁体１２６（２２６）と異なっている。すなわち、弁体３２６は、透明な樹脂材料などによって一体に形成され、図２５Ａ〜図２５Ｃに示すように、略円板状の弁座水平部３２６ａと、この弁座水平部３２６ａの底面から鉛直方向下方に延びる弁座鉛直部３２６ｃとから構成されている。弁座水平部３２６ａは、上側鉛直壁部３２０ａの上端の開口部と略同一の平面形状の円板の周縁部から複数（本実施の形態では３つ）の略扇形の切欠き部３２６ｄを切り欠いた平面形状を有する。弁座鉛直部３２６ｃは、弁座水平部３２６ａの周縁に沿って延びるように形成され、その外面が切欠き部３２６ｄの底面（弁座水平部３２６ａの側面に沿って延びる面）に略同一面上に配置するように形成されている。また、弁座鉛直部３２６ｃには、弁座鉛直部３２６ｃを貫通して下方に延びる複数（本実施の形態では３つ）のスリット３２６ｅが所定の間隔で形成されている。なお、スリット３２６ｅの代わりに、弁座鉛直部３２６ｃを貫通することなく鉛直方向下方に延びる複数の溝部を形成してもよい。
【００５６】
このような構成の上側流体取扱部３１６を組み立てる際には、図２６に示すように、第１の上側流体取扱部３１７ａと第２の上側流体取扱部３１７ｂの間に仕切り板３２１を挿入して固定し、第２の上側流体取扱部３１７ｂ内に弁体３２６を挿入するとともに、第１の上側流体取扱部３１７ａに多数のビーズ３２４を充填すればよい。このようにして上側流体取扱部３１６を組み立てると、第１の上側流体取扱部３１７ａの上端の開口部を液体試料などの流体を注入するための注入口として使用することができ、第１の上側流体取扱部３１７ａ内に上側流体取扱室３２８の一方の上側流体取扱室である第１の上側流体取扱室３２８ａ（図２９を参照）が形成されるとともに、弁体３２６が下端に配置している状態（弁が閉じた状態）で弁体３２６の上に上側流体取扱室３２８の他方の上側流体取扱室である第２の上側流体取扱室３２８ｂとしての空間が形成される。また、この第２の上側流体取扱室３２８ｂの下方には、弁体３２６が上方に移動した状態（弁が開いた状態）で下側装置本体部３１４の凹部３１４ａに流体を導入するための連通路が形成される。
【００５７】
図２７Ａおよび図２７Ｂは、本実施の形態の流体取扱装置３１０の下側装置本体部３１４の一部を拡大して示している。図２７Ａは下側装置本体部３１４の一部を示す平面図であり、図２７Ｂは図２７ＡのＸＸＶＩＩＢ−ＸＸＶＩＩＢ線断面図である。図２７Ａおよび図２７Ｂに示すように、第３の実施の形態と同様に本実施の形態では、第２の実施の形態のように各々の下側流体取扱部１１８に分離する外壁部１１８ａを形成せずに、各々の上側流体取扱部３１６に対応するように一対の突起部３１８ｂが所定の間隔で離間して下側装置本体部３１４の凹部３１４ａの底面から鉛直方向上方に延びている。なお、本実施の形態の突起部３１８ｂの幅の方向が、第３の実施の形態の突起部３１８ｂと異なり、下側装置本体部３１４の側面に対して傾斜しているのは、各々の上側流体取扱部３１６が傾斜していることに対応している。
【００５８】
図２８および図２９に示すように、下側装置本体部３１４上に上側装置本体部３１２を載置すると、上側流体取扱部３１６の外壁部３２０の切欠き部３２０ｄから下側鉛直壁部３２０ｃ内に侵入した下側装置本体部３１４の突起部３１８ｂによって上側流体取扱部３１６の弁体３２６の弁座鉛直部３２６ｃの底面が上方に押し上げられて、弁体３２６が上方に移動し、弁体３２６の弁座水平部３２６ａの底面が上側流体取扱部３１６の外壁部３２０の水平壁部３２０ｂの上面から離間して弁が開き、上側流体取扱室３２８（第１の上側流体取扱室３２８ａ、第２の上側流体取扱室３２８ｂ）に注入された流体が弁体３２６のスリット３２６ｅ（図２５Ａを参照）を介して下側装置本体部３１４の凹部３１４ａ内に導入されて排出口３１４ｂから排出される。
【００５９】
［第５の実施の形態］
図３０〜図３４は、本発明による流体取扱装置の第５の実施の形態を示している。本実施の形態では、上述した第１の実施の形態の流体取扱装置１０と、排液専用トレイとして使用する下側装置本体部４１４とを組み合わせている。
【００６０】
下側装置本体部４１４は、第１の実施の形態の下側装置本体部１４と同様に、例えば、ポリカーボネート（ＰＣ）やポリメタクリル酸メチル（ＰＭＭＡ）などの樹脂材料またはガラス材料により形成された厚さが数ｍｍ程度で一辺の長さが数ｃｍ〜十数ｃｍ程度の大きさの略矩形の平板状の部材からなる。図３０に示すように、下側装置本体部４１４の上面には、略矩形の凹部４１４ａが形成され、その凹部４１４ａの底面に排出口４１４ｂが形成されている。また、凹部４１４ａの底面から鉛直方向上方に多数の突起部４１８ｂが突出している。各々の突起部４１８ｂは、第１の実施の形態の流体取扱装置１０の上側装置本体部１２の弁体２６の各々を押し上げて開くために使用される。
【００６１】
図３１Ａおよび図３１Ｂは、本実施の形態の流体取扱装置において排液専用トレイとして使用する下側装置本体部４１４の一部を拡大して示している。図３１Ａは下側装置本体部４１４の一部を示す平面図であり、図３１Ｂは図３１ＡのＸＸＸＩＢ−ＸＸＸＩＢ線断面図である。図３１Ａおよび図３１Ｂに示すように、下側装置本体部４１４は、下側装置本体部１４のように各々の下側流体取扱部１８に分離する外壁部１８ａを形成せずに、各々の上側流体取扱部１６の弁体２６の弁棒部２６ｂの底面に対応するようにそれぞれ突起部４１８ｂが所定の間隔で離間して下側装置本体部４１４の凹部４１４ａの底面から鉛直方向上方に延びている。
【００６２】
図３２および図３３に示すように、排液専用トレイとしての下側装置本体部４１４上に上側装置本体部１２を載置すると、下側装置本体部４１４の突起部４１８ｂによって上側流体取扱部１６の弁体２６の弁棒部２６ｂの底面が上方に押し上げられて、弁体２６が上方に移動し、弁体２６の弁座水平部２６ａの底面が上側流体取扱部１６の外壁部２０の水平壁部２０ｂの上面から離間して弁が開き、上側流体取扱室２８に注入された流体が弁体２６のスリット２２６ｅ（図３Ａおよび図３Ｂを参照）を介して下側装置本体部４１４の凹部４１４ａ内に導入されて排出口４１４ｂから排出される。
【００６３】
次に、図３４と図７Ａ〜図７Ｅを参照して、本実施の形態の流体取扱装置の使用例について説明する。
【００６４】
まず、図７Ａに示すように、本実施の形態の流体取扱装置の上側装置本体部１２の各々の上側流体取扱部１６内の網状部材２２の上に、抗体をコートした多数のビーズ２４を充填する。次に、図７Ｂに示すように、各々の上側流体取扱部１６の弁体２６が閉じた状態で反応部としての上側流体取扱室２８に抗原を注入して、ビーズ２４にコートした抗体と反応させる。次に、上側装置本体部１２を排液専用トレイとしての下側装置本体部４１４上に重ね合わせて、図３４に示すように、下側装置本体部４１４の突起部４１８ｂによって上側流体取扱部１６の弁体２６の弁棒部２６ｂの底面を上方に押し上げて、弁体２６を上方に移動させ、弁体２６の弁座水平部２６ａの底面を上側流体取扱部１６の外壁部２０の水平壁部２０ｂの上面から離間させて弁を開き、上側流体取扱室２８内から反応後の液体を弁体２６のスリット２６ｅを介して下側装置本体部４１４の凹部４１４ａ内に導入して排出口４１４ｂから排出する。反応後の液体を排出した後、各々の上側流体取扱部１６の弁体２６が開いた状態で上側流体取扱室２８に洗浄液を注入して洗浄する。
【００６５】
次に、図７Ｂに示すように、上側装置本体部１２を下側装置本体部４１４から取り外して、各々の上側流体取扱部１６の弁体２６が閉じた状態で上側流体取扱室２８にビオチン標識抗体を加えて反応させる。次に、図３４に示すように、上側装置本体部１２を排液専用トレイとしての下側装置本体部４１４上に重ね合わせて弁を開き、上側流体取扱室２８内から反応後の液体を弁体２６のスリット２６ｅを介して下側装置本体部４１４の凹部４１４ａ内に導入して排出口４１４ｂから排出する。反応後の液体を排出した後、各々の上側流体取扱部１６の弁体２６が開いた状態で上側流体取扱室２８に洗浄液を注入して洗浄する。
【００６６】
次に、図７Ｂに示すように、上側装置本体部１２を下側装置本体部４１４から取り外して、各々の上側流体取扱部１６の弁体２６が閉じた状態で上側流体取扱室２８にストレプトアビジン−酵素を加えて反応させる。次に、図３４に示すように、上側装置本体部１２を排液専用トレイとしての下側装置本体部４１４上に重ね合わせて弁を開き、上側流体取扱室２８内から反応後の液体を弁体２６のスリット２６ｅを介して下側装置本体部４１４の凹部４１４ａ内に導入して排出口４１４ｂから排出する。反応後の液体を排出した後、各々の上側流体取扱部１６の弁体２６が開いた状態で上側流体取扱室２８に洗浄液を注入して洗浄する。
【００６７】
次に、図７Ｂに示すように、上側装置本体部１２を下側装置本体部４１４から取り外して、各々の上側流体取扱部１６の弁体２６が閉じた状態で上側流体取扱室２８に基質を加えて反応させる。次に、上側装置本体部１２を下側装置本体部１４上に重ね合わせると、図７Ｃに示すように、上側装置本体部１２の各々の上側流体取扱部１６の外壁部２０の下側鉛直壁部２０ｃが下側装置本体部１４の対応する下側流体取扱部１８内に挿入されるとともに、水平壁部２０ｂが下側流体取扱部１８に支持される。このとき、下側流体取扱部１８の突起部１８ｂによって上側流体取扱部１６の弁体２６の弁棒部２６ｂの底面が上方に押し上げられて、弁体２６が上方に移動し、弁体２６の弁座水平部２６ａの底面が上側流体取扱部１６の外壁部２０の水平壁部２０ｂの上面から離間して弁が開き、上側流体取扱室２８内から反応後の液体が弁体２６のスリット２６ｅを介して下側流体取扱部１８の内部（下側流体取扱室３０）に排出される。このようにして蛍光を発した反応液を下側流体取扱室３０内に回収した後、図７Ｄに示すように、上側装置本体部１２を下側装置本体部１４から取り外し、下側装置本体部１４の各々の下側流体取扱部１８の下側流体取扱室３０内にピペット３２により反応停止液を添加して反応を停止させ、図７Ｅに示すような状態で蛍光測定を行うことができる。
【００６８】
［第６の実施の形態］
図３５〜図３９は、本発明による流体取扱装置の第６の実施の形態を示している。本実施の形態では、上述した第２の実施の形態の流体取扱装置１１０と、排液専用トレイとして使用する下側装置本体部５１４とを組み合わせている。
【００６９】
下側装置本体部５１４は、第２の実施の形態の下側装置本体部１１４と同様に、例えば、ポリカーボネート（ＰＣ）やポリメタクリル酸メチル（ＰＭＭＡ）などの樹脂材料またはガラス材料により形成された厚さが数ｍｍ程度で一辺の長さが数ｃｍ〜十数ｃｍ程度の大きさの略矩形の平板状の部材からなる。図３５に示すように、下側装置本体部５１４の上面には、略矩形の凹部５１４ａが形成され、その凹部５１４ａの底面に排出口５１４ｂが形成されている。また、凹部５１４ａの底面から鉛直方向上方に多数の対の突起部５１８ｂが突出している。各々の対の突起部５１８ｂは、第２の実施の形態の流体取扱装置１１０の上側装置本体部１１２の弁体１２６の各々を押し上げて開くために使用される。
【００７０】
図３６Ａおよび図３６Ｂは、本実施の形態の流体取扱装置において排液専用トレイとして使用する下側装置本体部５１４の一部を拡大して示している。図３６Ａは下側装置本体部５１４の一部を示す平面図であり、図３６Ｂは図３６ＡのＸＸＸＶＩＢ−ＸＸＸＶＩＢ線断面図である。図３６Ａおよび図３６Ｂに示すように、下側装置本体部５１４は、下側装置本体部１１４のように各々の下側流体取扱部１１８に分離する外壁部１１８ａを形成せずに、各々の上側流体取扱部１１６の切欠き部１２０ｄに対応するようにそれぞれ一対の突起部５１８ｂが所定の間隔で離間して下側装置本体部５１４の凹部５１４ａの底面から鉛直方向上方に延びている。
【００７１】
図３７および図３８に示すように、排液専用トレイとしての下側装置本体部５１４上に上側装置本体部１２を載置すると、上側流体取扱部１１６の外壁部１２０の切欠き部１２０ｄから下側鉛直壁部１２０ｃ内に侵入した下側装置本体部５１４の突起部５１８ｂによって上側流体取扱部１１６の弁体１２６の弁座鉛直部１２６ｂの底面が上方に押し上げられて、弁体１２６が上方に移動し、弁体１２６の弁座水平部１２６ａの底面が上側流体取扱部１１６の外壁部１２０の水平壁部１２０ｂの上面から離間して弁が開き、上側流体取扱室１２８に注入された流体が弁体１２６のスリット１２６ｅ（図１０Ａおよび図１０Ｂを参照）を介して下側装置本体部５１４の凹部５１４ａ内に導入されて排出口４１４ｂから排出される。
【００７２】
次に、図３９と図１５Ａ〜図１５Ｅを参照して、本実施の形態の流体取扱装置の使用例について説明する。
【００７３】
まず、図１５Ａに示すように、本実施の形態の流体取扱装置の上側装置本体部１１２の各々の上側流体取扱部１１６内の網状部材１２２の上に、抗体をコートした多数のビーズ１２４を充填する。次に、図１５Ｂに示すように、各々の上側流体取扱部１１６の弁体１２６が閉じた状態で反応部としての上側流体取扱室１２８に抗原を注入して、ビーズ１２４にコートした抗体と反応させる。次に、上側装置本体部１１２を排液専用トレイとしての下側装置本体部５１４上に重ね合わせて、図３９に示すように、上側流体取扱部１１６の外壁部１２０の切欠き部１２０ｄから下側鉛直壁部１２０ｃ内に侵入した下側装置本体部５１４の突起部５１８ｂによって上側流体取扱部１１６の弁体１２６の弁座鉛直部１２６ｃの底面を上方に押し上げて、弁体１２６を上方に移動させ、弁体１２６の弁座水平部１２６ａの底面を上側流体取扱部１１６の外壁部１２０の水平壁部１２０ｂの上面から離間させて弁を開き、上側流体取扱室１２８内から反応後の液体を弁体１２６のスリット１２６ｅを介して下側装置本体部５１４の凹部５１４ａ内に導入して排出口５１４ｂから排出する。反応後の液体を排出した後、各々の上側流体取扱部１１６の弁体１２６が開いた状態で上側流体取扱室１２８に洗浄液を注入して洗浄する。
【００７４】
次に、図１５Ｂに示すように、上側装置本体部１１２を下側装置本体部５１４から取り外して、各々の上側流体取扱部１１６の弁体１２６が閉じた状態で上側流体取扱室１２８にビオチン標識抗体を加えて反応させる。次に、図３９に示すように、上側装置本体部１１２を排液専用トレイとしての下側装置本体部５１４上に重ね合わせて弁を開き、上側流体取扱室１２８内から反応後の液体を弁体１２６のスリット１２６ｅを介して下側装置本体部５１４の凹部５１４ａ内に導入して排出口５１４ｂから排出する。反応後の液体を排出した後、各々の上側流体取扱部１１６の弁体１２６が開いた状態で上側流体取扱室１２８に洗浄液を注入して洗浄する。
【００７５】
次に、図１５Ｂに示すように、上側装置本体部１１２を下側装置本体部５１４から取り外して、各々の上側流体取扱部１１６の弁体１２６が閉じた状態で上側流体取扱室１２８にストレプトアビジン−酵素を加えて反応させる。次に、図３９に示すように、上側装置本体部１１２を排液専用トレイとしての下側装置本体部５１４上に重ね合わせて弁を開き、上側流体取扱室１２８内から反応後の液体を弁体１２６のスリット１２６ｅを介して下側装置本体部５１４の凹部５１４ａ内に導入して排出口５１４ｂから排出する。反応後の液体を排出した後、各々の上側流体取扱部１１６の弁体１２６が開いた状態で上側流体取扱室１２８に洗浄液を注入して洗浄する。
【００７６】
次に、図１５Ｂに示すように、上側装置本体部１１２を下側装置本体部５１４から取り外して、各々の上側流体取扱部１１６の弁体１２６が閉じた状態で上側流体取扱室１２８に基質を加えて反応させる。次に、上側装置本体部１１２を下側装置本体部１１４上に重ね合わせると、図１５Ｃに示すように、上側装置本体部１１２の各々の上側流体取扱部１１６の外壁部１２０の下側鉛直壁部１２０ｃが下側装置本体部１１４の対応する下側流体取扱部１１８内に挿入されるとともに、水平壁部１２０ｂが下側流体取扱部１１８に支持される。このとき、下側流体取扱部１１８の突起部１１８ｂによって上側流体取扱部１１６の弁体１２６の弁棒部１２６ｂの底面が上方に押し上げられて、弁体１２６が上方に移動し、弁体１２６の弁座水平部１２６ａの底面が上側流体取扱部１１６の外壁部１２０の水平壁部１２０ｂの上面から離間して弁が開き、上側流体取扱室１２８内から反応後の液体が弁体１２６のスリット１２６ｅを介して下側流体取扱部１１８の内部（下側流体取扱室１３０）に排出される。このようにして蛍光を発した反応液を下側流体取扱室１３０内に回収した後、図１５Ｄに示すように、上側装置本体部１１２を下側装置本体部１１４から取り外し、下側装置本体部１１４の各々の下側流体取扱部１１８の下側流体取扱室１３０内にピペット１３２により反応停止液を添加して反応を停止させ、図１５Ｅに示すような状態で蛍光測定を行うことができる。
【００７７】
上述したように、第１および第２の実施の形態の流体取扱装置１０、１１０では、下側流体取扱部１８、１１８上に上側流体取扱部１６、１１６を載置するだけで弁体２６、１２６が開いて、上側流体取扱室２８、１２８内の流体を下側流体取扱室３０、１３０内に排出することができるので、簡単な構造で流体を排出することができるとともに、下側流体取扱室３０、１３０の底部を透明な部材によって形成すれば、吸光測定法に適用することができる。
【００７８】
また、第３および第４の実施の形態の流体取扱装置２１０、３１０では、下側装置本体部２１４、３１４上に上側装置本体部２１２、３１２を載置するだけで弁体２２６、３２６が開いて、上側流体取扱室２２８、３２８内の流体を下側装置本体部２１４、３１４の凹部２１４ａ、３１４ａ内に排出することができるので、簡単な構造で流体を排出することができるとともに、弁体２２６、３２６を透明な部材によって形成すれば、吸光測定法に適用することができる。
【００７９】
また、第５および第６の実施の形態のように、第１および第２の実施の形態の流体取扱装置１０、１１０と、排液専用トレイとしての下側装置本体部４１４、５１４とを組み合わせて使用すれば、簡単な構造で流体を排出することができるとともに、下側流体取扱室３０、１３０の底部を透明な部材によって形成すれば、吸光測定法に適用することができる。
【００８０】
さらに、第１〜第６の実施の形態の流体取扱装置では、上側流体取扱室２８、１２８、２２８、３２８内に多数のビーズ２４、１２４、２２４、３２４を充填することにより、上側流体取扱室２８、１２８、２２８、３２８内の流路の内面の表面積を増大し、流体取扱装置を試料分析装置として使用した場合に、ビーズ２４、１２４、２２４、３２４の表面を捕体の支持面（反応面）として利用すれば、捕体の支持面（反応面）の表面積を増大して、流体との接触面積を増大することができる。また、大きな反応面上で連続的に液を流動させることによって、反応効率が高まり、反応時間の短縮と測定感度の向上を図ることができる。なお、上側流体取扱室２８、１２８、２２８、３２８内の流路の内面の表面積を増大するために使用するビーズ２４、１２４、２２４、３２４の代わりに、図４０Ａおよび図４０Ｂに示すように、上側流体取扱室２８、１２８または第１の上側流体取扱室２２８ａ、３２８ａと略同一の平面形状の略立方体または略円柱形の単一の吸水性部材３４、１３４を使用してもよい。
【図面の簡単な説明】
【００８１】
【図１】本発明による流体取扱装置の第１の実施の形態を示す斜視図である。
【図２Ａ】図１の流体取扱装置の上側流体取扱部を拡大して示す平面図である。
【図２Ｂ】図２ＡのＩＩＢ−ＩＩＢ線断面図である。
【図２Ｃ】図２Ａの上側流体取扱部の底面図である。
【図２Ｄ】図２Ａからビーズを取り除いた上側流体取扱部の平面図である。
【図２Ｅ】図２Ｄから網状部材を取り除いた上側流体取扱部の平面図である。
【図２Ｆ】図２Ｅから弁体を取り除いた上側流体取扱部の平面図である。
【図３Ａ】図２Ａの上側流体取扱部に使用する弁体の斜視図である。
【図３Ｂ】図３Ａの弁体の側面図である。
【図３Ｃ】図３Ａの弁体の平面図である。
【図３Ｄ】図３Ａの弁体の底面図である。
【図３Ｅ】図３ＣのＩＩＩＥ−ＩＩＩＥ線断面図である。
【図４】図２Ａの上側流体取扱部の組立方法を説明する斜視図である。
【図５Ａ】図１の流体取扱装置の下側流体取扱部を拡大して示す平面図である。
【図５Ｂ】図５ＡのＶＢ−ＶＢ線断面図である。
【図６】図５Ａの下側流体取扱部に図２Ａの上側流体取扱部を載置して弁体を開く状態を説明する断面図である。
【図７Ａ】本発明による流体取扱装置の第１の実施の形態の使用例を説明する図である。
【図７Ｂ】本発明による流体取扱装置の第１の実施の形態の使用例を説明する図である。
【図７Ｃ】本発明による流体取扱装置の第１の実施の形態の使用例を説明する図である。
【図７Ｄ】本発明による流体取扱装置の第１の実施の形態の使用例を説明する図である。
【図７Ｅ】本発明による流体取扱装置の第１の実施の形態の使用例を説明する図である。
【図８】本発明による流体取扱装置の第２の実施の形態を示す斜視図である。
【図９Ａ】図８の流体取扱装置の上側流体取扱部を拡大して示す平面図である。
【図９Ｂ】図９ＡのＩＸＢ−ＩＸＢ線断面図である。
【図９Ｃ】図９Ａの上側流体取扱部の底面図である。
【図９Ｄ】図９Ａの上側流体取扱部の側面図である。
【図１０Ａ】図９Ａの上側流体取扱部に使用する弁体の斜視図である。
【図１０Ｂ】図１０Ａの弁体の側面図である。
【図１０Ｃ】図１０Ａの弁体の平面図である。
【図１０Ｄ】図１０Ａの弁体の底面図である。
【図１０Ｅ】図１０ＣのＸＥ−ＸＥ線断面図である。
【図１１】図９Ａの上側流体取扱部の組立方法を説明する斜視図である。
【図１２Ａ】図８の流体取扱装置の下側流体取扱部を拡大して示す平面図である。
【図１２Ｂ】図１２ＡのＸＩＩＢ−ＸＩＩＢ線断面図である。
【図１３】図１２Ａの下側流体取扱部に図９Ａの上側流体取扱部を載置する状態を説明する斜視図である。
【図１４】図１２Ａの下側流体取扱部に図９Ａの上側流体取扱部を載置して弁体を開く状態を説明する断面図である。
【図１５Ａ】本発明による流体取扱装置の第２の実施の形態の使用例を説明する図である。
【図１５Ｂ】本発明による流体取扱装置の第２の実施の形態の使用例を説明する図である。
【図１５Ｃ】本発明による流体取扱装置の第２の実施の形態の使用例を説明する図である。
【図１５Ｄ】本発明による流体取扱装置の第２の実施の形態の使用例を説明する図である。
【図１５Ｅ】本発明による流体取扱装置の第２の実施の形態の使用例を説明する図である。
【図１６】本発明による流体取扱装置の第３の実施の形態を示す斜視図である。
【図１７Ａ】図１６の流体取扱装置の上側流体取扱部を拡大して示す平面図である。
【図１７Ｂ】図１７ＡのＸＶＩＩＢ−ＸＶＩＩＢ線断面図である。
【図１７Ｃ】図１７Ａの上側流体取扱部の底面図である。
【図１７Ｄ】図１７Ａの上側流体取扱部の側面図である。
【図１８】図１７Ａの上側流体取扱部の組立方法を説明する斜視図である。
【図１９Ａ】図１６の流体取扱装置の下側装置本体部の一部を拡大して示す平面図である。
【図１９Ｂ】図１９ＡのＸＩＸＢ−ＸＩＸＢ線断面図である。
【図２０】図１９Ａの下側装置本体扱部に図１７Ａの上側流体取扱部を載置する状態を説明する斜視図である。
【図２１】図１９Ａの下側装置本体部に図１７Ａの上側流体取扱部を載置して弁体を開く状態を説明する断面図である。
【図２２Ａ】本発明による流体取扱装置の第３の実施の形態の使用例を説明する図である。
【図２２Ｂ】本発明による流体取扱装置の第３の実施の形態の使用例を説明する図である。
【図２２Ｃ】本発明による流体取扱装置の第３の実施の形態の使用例を説明する図である。
【図２２Ｄ】本発明による流体取扱装置の第３の実施の形態の使用例を説明する図である。
【図２２Ｅ】本発明による流体取扱装置の第３の実施の形態の使用例を説明する図である。
【図２２Ｆ】本発明による流体取扱装置の第３の実施の形態の使用例を説明する図である。
【図２３Ａ】本発明による流体取扱装置の第４の実施の形態を示す平面図である。
【図２３Ｂ】図２３Ａの流体取扱装置の下側装置本体部の平面図である。
【図２４Ａ】図２３Ａの流体取扱装置の上側流体取扱部を拡大して示す平面図である。
【図２４Ｂ】図２４ＡのＸＸＩＶＢ−ＸＸＩＶＢ線断面図である。
【図２４Ｃ】図２４Ａの上側流体取扱部の側面図である。
【図２５Ａ】図２４Ａの上側流体取扱部に使用する弁体の斜視図である。
【図２５Ｂ】図２５Ａの弁体の平面図である。
【図２５Ｃ】図２５ＢのＸＸＶＣ−ＸＸＶＣ線断面図である。
【図２６】図２４Ａの上側流体取扱部の組立方法を説明する斜視図である。
【図２７Ａ】図２３Ｂの下側装置本体部の一部を拡大して示す平面図である。
【図２７Ｂ】図２７ＡのＸＸＶＩＩＢ−ＸＸＶＩＩＢ線断面図である。
【図２８】図２７Ａの下側装置本体部に図２４Ａの上側流体取扱部を載置する状態を説明する斜視図である。
【図２９】図２７Ａの下側装置本体部に図２４Ａの上側流体取扱部を載置して弁体を開く状態を説明する断面図である。
【図３０】本発明による流体取扱装置の第５の実施の形態において排液専用トレイとして使用する下側装置本体部を示す斜視図である。
【図３１Ａ】図３０の下側装置本体部の一部を拡大して示す平面図である。
【図３１Ｂ】図３１ＡのＸＸＸＩＢ−ＸＸＸＩＢ線断面図である。
【図３２】図３０の下側装置本体扱部に図２Ａの上側流体取扱部を載置する状態を説明する斜視図である。
【図３３】図３０の下側装置本体部に図２Ａの上側流体取扱部を載置して弁体を開く状態を説明する断面図である。
【図３４】本発明による流体取扱装置の第５の実施の形態の使用例を説明する図である。
【図３５】本発明による流体取扱装置の第６の実施の形態において排液専用トレイとして使用する下側装置本体部を示す斜視図である。
【図３６Ａ】図３５の下側装置本体部の一部を拡大して示す平面図である。
【図３６Ｂ】図３６ＡのＸＸＸＶＩＢ−ＸＸＸＶＩＢ線断面図である。
【図３７】図３５の下側装置本体扱部に図９Ａの上側流体取扱部を載置する状態を説明する斜視図である。
【図３８】図３５の下側装置本体部に図９Ａの上側流体取扱部を載置して弁体を開く状態を説明する断面図である。
【図３９】本発明による流体取扱装置の第６の実施の形態の使用例を説明する図である。
【図４０Ａ】第１〜第３、第５および第６の実施の形態の流体取扱装置においてビーズの代わりに使用可能な吸水性部材の斜視図である。
【図４０Ｂ】第４の実施の形態の流体取扱装置においてビーズの代わりに使用可能な吸水性部材の斜視図である。
【符号の説明】
【００８２】
１０、１１０、２１０、３１０  流体取扱装置
１２、１１２、２１２、３１２  上側装置本体部
１４、１１４、２１４、３１４、４１４、５１４  下側装置本体部
１６、１１６、２１６、３１６  上側流体取扱部
１８、１１８  下側流体取扱部
１８ａ、１１８ａ  外壁部
１８ｂ、１１８ｂ、２１８ｂ、３１８ｂ、４１８ｂ、５１８ｂ  突起部
２０、１２０、２２０、３２０  外壁部
２０ａ、１２０ａ、２２０ａ、３２０ａ  上側鉛直壁部
２０ｂ、１２０ｂ、２２０ｂ、３２０ｂ  水平壁部
２０ｃ、１２０ｃ、２２０ｃ、３２０ｃ  下側鉛直壁部
２２、１２２  網状部材
２４、１２４、２２４、３２４  ビーズ
２６、１２６、２２６、３２６  弁体
２６ａ、１２６ａ、２２６ａ、３２６ａ  弁座水平部
２６ｂ  弁棒部
２６ｃ、１２６ｃ、２２６ｃ、３２６ｃ  弁座鉛直部
２６ｄ、１２６ｄ、２２６ｄ、３２６ｄ  切欠き部
２６ｅ、１２６ｅ、２２６ｅ、３２６ｅ  スリット
２８、１２８、２２８、３２８  上側流体取扱室
３０、１３０  下側流体取扱室
３２、１３２、２３２  ピペット
３４、１３４  吸水性部材
１２０ｄ、２２０ｄ、３２０ｄ  切欠き部
２１４ａ、３１４ａ、４１４ａ、５１４ａ  凹部
２１４ｂ、３１４ｂ、４１４ｂ、５１４ｂ  排出口
２１７ａ、３１７ａ  第１の上側流体取扱部
２１７ｂ、３１７ｂ  第２の上側流体取扱部
２２１、３２１  仕切り板
２２３、３２３  スリット
２２８ａ、３２８ａ  第１の上側流体取扱室
２２８ｂ、３２８ｂ  第２の上側流体取扱室
【図１】
2007212285.tif 000003
【図２Ａ】
2007212285.tif 000004
【図２Ｂ】
2007212285.tif 000005
【図２Ｃ】
2007212285.tif 000006
【図２Ｄ】
2007212285.tif 000007
【図２Ｅ】
2007212285.tif 000008
【図２Ｆ】
2007212285.tif 000009
【図３Ａ】
2007212285.tif 000010
【図３Ｂ】
2007212285.tif 000011
【図３Ｃ】
2007212285.tif 000012
【図３Ｄ】
2007212285.tif 000013
【図３Ｅ】
2007212285.tif 000014
【図４】
2007212285.tif 000015
【図５Ａ】
2007212285.tif 000016
【図５Ｂ】
2007212285.tif 000017
【図６】
2007212285.tif 000018
【図７Ａ】
2007212285.tif 000019
【図７Ｂ】
2007212285.tif 000020
【図７Ｃ】
2007212285.tif 000021
【図７Ｄ】
2007212285.tif 000022
【図７Ｅ】
2007212285.tif 000023
【図８】
2007212285.tif 000024
【図９Ａ】
2007212285.tif 000025
【図９Ｂ】
2007212285.tif 000026
【図９Ｃ】
2007212285.tif 000027
【図９Ｄ】
2007212285.tif 000028
【図１０Ａ】
2007212285.tif 000029
【図１０Ｂ】
2007212285.tif 000030
【図１０Ｃ】
2007212285.tif 000031
【図１０Ｄ】
2007212285.tif 000032
【図１０Ｅ】
2007212285.tif 000033
【図１１】
2007212285.tif 000034
【図１２Ａ】
2007212285.tif 000035
【図１２Ｂ】
2007212285.tif 000036
【図１３】
2007212285.tif 000037
【図１４】
2007212285.tif 000038
【図１５Ａ】
2007212285.tif 000039
【図１５Ｂ】
2007212285.tif 000040
【図１５Ｃ】
2007212285.tif 000041
【図１５Ｄ】
2007212285.tif 000042
【図１５Ｅ】
2007212285.tif 000043
【図１６】
2007212285.tif 000044
【図１７Ａ】
2007212285.tif 000045
【図１７Ｂ】
2007212285.tif 000046
【図１７Ｃ】
2007212285.tif 000047
【図１７Ｄ】
2007212285.tif 000048
【図１８】
2007212285.tif 000049
【図１９Ａ】
2007212285.tif 000050
【図１９Ｂ】
2007212285.tif 000051
【図２０】
2007212285.tif 000052
【図２１】
2007212285.tif 000053
【図２２Ａ】
2007212285.tif 000054
【図２２Ｂ】
2007212285.tif 000055
【図２２Ｃ】
2007212285.tif 000056
【図２２Ｄ】
2007212285.tif 000057
【図２２Ｅ】
2007212285.tif 000058
【図２２Ｆ】
2007212285.tif 000059
【図２３Ａ】
2007212285.tif 000060
【図２３Ｂ】
2007212285.tif 000061
【図２４Ａ】
2007212285.tif 000062
【図２４Ｂ】
2007212285.tif 000063
【図２４Ｃ】
2007212285.tif 000064
【図２５Ａ】
2007212285.tif 000065
【図２５Ｂ】
2007212285.tif 000066
【図２５Ｃ】
2007212285.tif 000067
【図２６】
2007212285.tif 000068
【図２７Ａ】
2007212285.tif 000069
【図２７Ｂ】
2007212285.tif 000070
【図２８】
2007212285.tif 000071
【図２９】
2007212285.tif 000072
【図３０】
2007212285.tif 000073
【図３１Ａ】
2007212285.tif 000074
【図３１Ｂ】
2007212285.tif 000075
【図３２】
2007212285.tif 000076
【図３３】
2007212285.tif 000077
【図３４】
2007212285.tif 000078
【図３５】
2007212285.tif 000079
【図３６Ａ】
2007212285.tif 000080
【図３６Ｂ】
2007212285.tif 000081
【図３７】
2007212285.tif 000082
【図３８】
2007212285.tif 000083
【図３９】
2007212285.tif 000084
【図４０Ａ】
2007212285.tif 000085
【図４０Ｂ】
2007212285.tif 000086